(57)【特許請求の範囲】
【請求項１】
外部と無線通信回線を介して無線通信可能な携帯無線通信端末であって、
当該携帯無線通信端末を識別する通信端末識別情報を記憶する通信端末識別情報記憶手段と、
外部と無線通信を行う通信手段と、
情報を表示する表示手段と、
少なくとも前記表示手段に表示された内容を選択操作入力可能な操作手段と、
複数のコンテンツを受信可能なコンテンツ受信装置を操作可能なリモコン信号に関する動作を制御するリモコン制御手段と、
予め定めた起動条件を満たしたときに前記リモコン制御手段を起動させるリモコン制御手段起動手段と、
前記操作手段により操作入力されて選択された前記コンテンツに応じてリモコン信号を外部の前記コンテンツ受信装置に送信するリモコン信号送信手段と、
を備え、
前記リモコン制御手段は、
前記通信手段を介して、前記通信端末識別情報記憶手段に記憶されている前記通信端末識別情報を外部のレコメンドサーバに送信し、かつ、コンテンツに関する情報であって前記レコメンドサーバから前記通信端末識別情報に応じて送られたコンテンツ情報を受信し、
前記通信手段により得られた前記コンテンツ情報を前記表示手段に表示し、
前記表示手段に表示された前記コンテンツ情報の中から利用者が選択するコンテンツの操作入力を前記操作手段により受け付け、
前記リモコン制御手段は、さらに、
利用者による利用状況を収集し、前記通信手段を介して前記利用状況を前記レコメンドサーバに送信する利用状況収集手段を備え、
前記起動条件には、前記通信手段を介して、及び／又は、当該携帯無線通信端末が有する位置検出手段により得られた位置情報が所定の範囲内となることを含むこと、
を特徴とする携帯無線通信端末。
【請求項２】
請求項１に記載の携帯無線通信端末において、
前記通信手段は、外部に設けられた無線ＬＡＮルータとの間で通信を行うことができ、
前記起動条件には、予め定めた無線ＬＡＮルータのルータ識別情報が前記通信手段を介して通信可能な状態となることを含むこと、
を特徴とする携帯無線通信端末。
【請求項３】
請求項１又は請求項２に記載の携帯無線通信端末において、
前記リモコン制御手段起動手段は、前記起動条件を満たしたときに自動で前記リモコン制御手段を起動させること、
を特徴とする携帯無線通信端末。
【請求項４】
請求項３に記載の携帯無線通信端末において、
前記リモコン制御手段起動手段は、自動で前記リモコン制御手段を起動させる前に利用者に対して自動起動の確認を要求すること、
を特徴とする携帯無線通信端末。
【請求項５】
請求項４に記載の携帯無線通信端末において、
前記リモコン制御手段起動手段は、自動起動の確認を要求した利用者から自動起動不許可の指示をされた後、起動条件のうちのいずれかが不適合になってから再度起動条件を満たしたときには、自動で前記リモコン制御手段を起動させる前に利用者に対して自動起動の確認を要求すること、
を特徴とする携帯無線通信端末。
【請求項６】
請求項１から請求項５までのいずれか１項に記載の携帯無線通信端末において、
前記起動条件には、利用者による起動指示を含むこと、
を特徴とする携帯無線通信端末。
【請求項７】
請求項１から請求項６までのいずれか１項に記載の携帯無線通信端末において、
前記利用状況収集手段は、
前記操作手段により操作された履歴を収集する操作履歴収集手段と、
利用者が視聴したコンテンツの履歴を収集する視聴履歴収集手段と、
利用者が視聴したコンテンツに関して利用者が評価と評価の投票との少なくとも一方を行った履歴を収集するコンテンツ評価投票履歴収集手段と、
利用者が視聴したコンテンツに関して利用者が外部に対してコメントを発信した履歴を収集するコメント発信履歴収集手段と、
のうちの少なくとも１つを含むこと、
を特徴とする携帯無線通信端末。
【請求項８】
請求項１から請求項７までのいずれか１項に記載の携帯無線通信端末において、
前記操作手段は、前記表示手段を利用したタッチパネルを含むこと、
を特徴とする携帯無線通信端末。
【請求項９】
外部と無線通信回線を介して無線通信可能な携帯無線通信端末と、
コンテンツの配信とコンテンツの放送との少なくとも一方を行うコンテンツ発信装置と、
前記コンテンツ発信装置が配信又は放送するコンテンツを受信可能、かつ、前記携帯無線通信端末が発するリモコン信号を受信可能なコンテンツ受信装置と、
レコメンドサーバと、
を含むコンテンツ視聴システムであって、
前記携帯無線通信端末は、
当該携帯無線通信端末を識別する通信端末識別情報を記憶する通信端末識別情報記憶手段と、
外部と無線通信を行う通信手段と、
情報を表示する表示手段と、
少なくとも前記表示手段に表示された内容を選択操作入力可能な操作手段と、
複数のコンテンツを受信可能な前記コンテンツ受信装置を操作可能なリモコン信号に関する動作を制御するリモコン制御手段と、
予め定めた起動条件を満たしたときに前記リモコン制御手段を起動させるリモコン制御手段起動手段と、
前記操作手段により操作入力されて選択された前記コンテンツに応じてリモコン信号を外部の前記コンテンツ受信装置に送信するリモコン信号送信手段と、
を備え、
前記リモコン制御手段は、
前記通信手段を介して、前記通信端末識別情報記憶手段に記憶されている前記通信端末識別情報を外部の前記レコメンドサーバに送信し、かつ、コンテンツに関する情報であって前記レコメンドサーバから前記通信端末識別情報に応じて送られたコンテンツ情報を受信し、
前記通信手段により得られた前記コンテンツ情報を前記表示手段に表示し、
前記表示手段に表示された前記コンテンツ情報の中から利用者が選択するコンテンツの操作入力を前記操作手段により受け付け、
前記リモコン制御手段は、さらに、
利用者による利用状況を収集し、前記通信手段を介して前記利用状況を前記レコメンドサーバに送信する利用状況収集手段を備え、
前記起動条件には、前記通信手段を介して、及び／又は、当該携帯無線通信端末が有する位置検出手段により得られた位置情報が所定の範囲内となることを含み、
前記レコメンドサーバは、前記携帯無線通信端末から取得した利用者による前記利用状況に応じて、前記コンテンツ情報を生成し、前記通信端末識別情報に応じて前記コンテンツ情報を前記携帯無線通信端末へ送信すること、
を特徴とするコンテンツ視聴システム。
【請求項１０】
携帯無線通信端末を識別する通信端末識別情報を記憶する通信端末識別情報記憶手段と、外部と無線通信を行う通信手段と、情報を表示する表示手段と、少なくとも前記表示手段に表示された内容を選択操作入力可能な操作手段と、を備え、外部と無線通信回線を介して無線通信可能な携帯無線通信端末の制御方法であって、
前記通信手段を介して、及び／又は、前記携帯無線通信端末が有する位置検出手段により得られた位置情報が所定の範囲内となることを条件に含む予め定めた起動条件を満たしたときに、複数のコンテンツを受信可能なコンテンツ受信装置を操作可能なリモコン信号に関する動作を制御するリモコン制御手段を起動させ、
前記操作手段により操作入力されて選択された前記コンテンツに応じて前記リモコン信号を外部の前記コンテンツ受信装置に送信し、
前記リモコン制御手段では、
前記通信手段を介して、前記通信端末識別情報記憶手段に記憶されている前記通信端末識別情報を外部のレコメンドサーバに送信し、かつ、前記コンテンツに関する情報であって前記レコメンドサーバから前記通信端末識別情報に応じて送られたコンテンツ情報を受信し、
前記通信手段により得られた前記コンテンツ情報を前記表示手段に表示し、
前記表示手段に表示された前記コンテンツ情報の中から利用者が選択するコンテンツの操作入力を前記操作手段により受け付け、
さらに、利用者による利用状況を収集し、前記通信手段を介して前記利用状況を前記レコメンドサーバに送信すること、
を特徴とする携帯無線通信端末の制御方法。
【請求項１１】
携帯無線通信端末を識別する通信端末識別情報を記憶する通信端末識別情報記憶手段と、外部と無線通信を行う通信手段と、情報を表示する表示手段と、少なくとも前記表示手段に表示された内容を選択操作入力可能な操作手段と、を備え、外部と無線通信回線を介して無線通信可能な携帯無線通信端末の制御プログラムであって、
コンピュータを、
複数のコンテンツを受信可能なコンテンツ受信装置を操作可能なリモコン信号に関する動作を制御するリモコン制御手段と、
前記通信手段を介して、及び／又は、前記携帯無線通信端末が有する位置検出手段により得られた位置情報が所定の範囲内となることを条件に含む予め定めた起動条件を満たしたときに前記リモコン制御手段を起動させるリモコン制御手段起動手段と、
前記操作手段により操作入力されて選択された前記コンテンツに応じて前記リモコン信号を外部の前記コンテンツ受信装置に送信するリモコン信号送信手段、
として機能させるための制御プログラムであり、
さらに、コンピュータを、
前記リモコン制御手段が、
前記通信手段を介して、前記通信端末識別情報記憶手段に記憶されている前記通信端末識別情報を外部のレコメンドサーバに送信し、かつ、前記コンテンツに関する情報であって前記レコメンドサーバから前記通信端末識別情報に応じて送られたコンテンツ情報を受信し、
前記通信手段により得られた前記コンテンツ情報を前記表示手段に表示し、
前記表示手段に表示された前記コンテンツ情報の中から利用者が選択するコンテンツの操作入力を前記操作手段により受け付けるように機能させ、
さらに、利用者による利用状況を収集し、前記通信手段を介して前記利用状況を前記レコメンドサーバに送信する利用状況収集手段として機能させるための携帯無線通信端末の制御プログラム。
【発明の詳細な説明】
【技術分野】
【０００１】
本発明は、映像番組等を受信可能なテレビ受像機、又は、ＩＰＴＶ用のセットトップボックス、又は、ケーブルテレビ用のセットトップボックス等をリモコン操作可能な携帯電話端末等の携帯無線通信端末、コンテンツ視聴システム、携帯無線通信端末の制御方法、携帯無線通信端末の制御プログラムに関するものである。
【背景技術】
【０００２】
テレビ受像機や、ＩＰＴＶ（Internet Protocol TeleVision）用のセットトップボックス（ＳＴＢ）、又は、ケーブルテレビ用のＳＴＢ等では、ＥＰＧ（Electronic Program Guide：電子番組ガイド）が利用可能なものが普及している。その際、ＥＰＧをテレビ受像機に表示しても、近年のＩＰＴＶやケーブルテレビ等では、番組数が膨大な数となり、全てを番組表に一覧表示することができず、画面のスクロールを繰り返したり検索キーワードを入力したりする必要があり、利用者が所望する番組を探すことが容易ではない場合が多かった。そのため、利用者の嗜好状況の分析結果に応じた番組表をテレビ受信機に表示している（例えば、特許文献１）。そして、利用者は、横軸をチャンネル、縦軸を放送時刻として利用者毎に編集された番組表から所望の番組を選択し、視聴したり録画予約を行ったりする。
【０００３】
一方、携帯電話端末に設けられた赤外線発光素子を使い、テレビ受像機等のリモコンとして携帯電話端末を利用可能とする製品が既に市販されており、これに関する提案も行われている（例えば、特許文献２）。携帯電話端末をテレビ受像機等のリモコンとして利用する場合には、携帯電話の通信回線を利用して番組情報を取得して、番組表を携帯電話端末の表示画面上に表示する。そして、その表示された番組表から所望の番組を選択することにより、該当する番組の視聴や予約を行うためのリモコン信号が携帯電話端末から出力される。また、携帯電話端末に設けられたＢｌｕｅｔｏｏｔｈ（登録商標）を使い、テレビ受信機等のリモコンとして利用可能とする場合も見られる（例えば、特許文献３）。
【先行技術文献】
【特許文献】
【０００４】
【特許文献１】特開２００８−００５２２５号公報
【特許文献２】特開２００５−１５０８３１号公報
【特許文献３】特許３７６６０７２号公報
【発明の概要】
【発明が解決しようとする課題】
【０００５】
しかし、近年のテレビ視聴形態の特徴の一つである「ながら視聴」のように何かをしながらテレビ視聴している際、視聴者はチャンネルを選択したいのではなく、所望の番組を選択したいのであって、特許文献１のようにチャンネル軸と時間軸に沿った番組表にこだわる必要性がないのが現状である。
【０００６】
また、特許文献２のように携帯電話端末上で全番組のサムネイル表示を行ない、手元で所望の番組を選択できるのはよいが、そのサムネイル表示を実現するために、テレビ受信機能を内蔵した携帯電話端末を想定しており、仮にサムネイル表示とは言え、携帯電話端末上で全ての番組を一覧表示するには見づらい。またさらに、特許文献３のように携帯電話端末に設けられたＢｌｕｅｔｏｏｔｈ（登録商標）を使う場合、リモコン操作する対象となる受信装置（テレビ受像機やＳＴＢ等）と携帯電話端末上で動作するアプリケーションソフトウェア（以下、携帯アプリ）との間でリモコンの接続確認等の事前設定が必要であり、利用しにくかった。テレビ受信機等のリモコンとして利用可能とする場合、利用者にとっては、携帯電話端末のリモコン用携帯アプリを起動して携帯無線通信端末として利用するよりも、受信装置に付属のリモコン装置を利用する方が簡便であった。
【０００７】
これら放送に加えて、ＶＯＤ（Video On Demand）では、いわゆるコンテンツのロングテール化が進み、視聴される可能性の低いコンテンツも数多く用意されており、視聴可能なコンテンツの数が膨大になっている。したがって、従来のいずれの手法を用いた場合であっても、利用者が所望するコンテンツを探すことが困難であった。
【０００８】
本発明の課題は、利用の仕方が簡便であって、利用者が所望のコンテンツを容易に選択できる携帯無線通信端末、コンテンツ視聴システム、携帯無線通信端末の制御方法、携帯無線通信端末の制御プログラムを提供することである。
【課題を解決するための手段】
【０００９】
本発明は、上記の課題を解決するために、以下の事項を提案している。なお、理解を容易にするために、本発明の実施形態に対応する符号を付して説明するが、これに限定されるものではない。
【００１０】
（１）本発明は、外部と無線通信回線を介して無線通信可能な携帯無線通信端末（３００）であって、当該携帯無線通信端末を識別する通信端末識別情報を記憶する通信端末識別情報記憶手段（３０９）と、外部と無線通信を行う通信手段（３０２）と、情報を表示する表示手段（３０３）と、少なくとも前記表示手段に表示された内容を選択操作入力可能な操作手段（３０３）と、複数のコンテンツを受信可能なコンテンツ受信装置（２００）を操作可能なリモコン信号に関する動作を制御するリモコン制御手段（３１０ａ）と、予め定めた起動条件を満たしたときに前記リモコン制御手段を起動させるリモコン制御手段起動手段（３０１）と、前記操作手段により操作入力されて選択された前記コンテンツに応じてリモコン信号を外部の前記コンテンツ受信装置に送信するリモコン信号送信手段（３０４）とを備え、前記リモコン制御手段は、前記通信手段を介して、前記通信端末識別情報記憶手段に記憶されている前記通信端末識別情報を外部のレコメンドサーバ（６００）に送信し、かつ、コンテンツに関する情報であって前記レコメンドサーバから前記通信端末識別情報に応じて送られたコンテンツ情報を受信し、前記通信手段により得られた前記コンテンツ情報を前記表示手段に表示し、前記表示手段に表示された前記コンテンツ情報の中から利用者が選択するコンテンツの操作入力を前記操作手段により受け付ける。さらに、前記リモコン制御手段は、利用者による利用状況を収集し、前記通信手段を介して前記利用状況を前記レコメンドサーバに送信する利用状況収集手段（３０７）を備え、前記起動条件には、前記通信手段を介して、及び／又は、当該携帯無線通信端末が有する位置検出手段（３０８）により得られた位置情報が所定の範囲内となることを含むことを特徴とする携帯無線通信端末を提案している。
【００１１】
この発明によれば、通信端末識別情報記憶手段は、携帯無線通信端末を識別する通信端末識別情報を記憶する。通信手段は、外部と無線通信を行う。表示手段は、情報を表示する。操作手段は、少なくとも表示手段に表示された内容を選択操作入力可能にする。リモコン制御手段は、複数のコンテンツを受信可能なコンテンツ受信装置を操作可能なリモコン信号に関する動作を制御する。リモコン制御手段起動手段は、予め定めた起動条件を満たしたときにリモコン制御手段を起動させる。リモコン信号送信手段は、操作手段により操作入力されて選択された前記コンテンツに応じてリモコン信号を外部の前記コンテンツ受信装置に送信する。リモコン制御手段は、通信手段を介して、通信端末識別情報記憶手段に記憶されている通信端末識別情報を外部のレコメンドサーバに送信する。かつ、リモコン制御手段は、コンテンツに関する情報であってレコメンドサーバから通信端末識別情報に応じて送られたコンテンツ情報を受信する。また、リモコン制御手段は、通信手段により得られたコンテンツ情報を前記表示手段に表示する。さらに、リモコン制御手段は、表示手段に表示されたコンテンツ情報の中から利用者が選択するコンテンツの操作入力を操作手段により受け付ける。リモコン制御手段は、さらにまた、利用者による利用状況を収集し、通信手段を介して利用状況をレコメンドサーバに送信する利用状況収集手段を備える。起動条件には、通信手段を介して、及び／又は、当該携帯無線通信端末が有する位置検出手段により得られた位置情報が所定の範囲内となることを含む。したがって、利用者が所有する携帯無線通信端末を利用するだけで、リモコン制御手段（リモコンアプリケーション）を自動的に起動させることができる。そして、自動的に認証が行われ、利用者にレコメンドされコンテンツ情報を取得できる。よって、利用者はテレビ受像機を見なくても、手元の携帯無線通信端末のリモコン制御手段により、利用者が所望のコンテンツを容易に選択できる。また、利用者が特定の位置に到達したときに、リモコン制御手段を自動的に起動可能な状態にできる。
【００１４】
（２）本発明は、（１）に記載の携帯無線通信端末において、前記通信手段（３０２）は、外部に設けられた無線ＬＡＮルータ（９００）との間で通信を行うことができ、前記起動条件には、予め定めた無線ＬＡＮルータのルータ識別情報が前記通信手段を介して通信可能な状態となることを含むことを特徴とする携帯無線通信端末（３００）を提案している。
【００１５】
この発明によれば、通信手段は、外部に設けられた無線ＬＡＮルータとの間で通信を行うことができ、起動条件には、予め定めた無線ＬＡＮルータのルータ識別情報が通信手段を介して通信可能な状態となることを含む。したがって、利用者が予め定めた無線ＬＡＮルータと通信可能な位置に到達したときに、リモコン制御手段を自動的に起動可能な状態にできる。
【００１６】
（３）本発明は、（１）又は（２）に記載の携帯無線通信端末において、前記リモコン制御手段起動手段（３０１）は、前記起動条件を満たしたときに自動で前記リモコン制御手段（３１０ａ）を起動させることを特徴とする携帯無線通信端末（３００）を提案している。
【００１７】
この発明によれば、リモコン制御手段起動手段は、起動条件を満たしたときに自動でリモコン制御手段を起動させる。したがって、利用者が煩雑な起動操作を行うことなく、リモコン制御手段（リモコンアプリケーション）を起動してリモコン機能を利用できる。
【００１８】
（４）本発明は、（３）に記載の携帯無線通信端末において、前記リモコン制御手段起動手段（３０１）は、自動で前記リモコン制御手段を起動させる前に利用者に対して自動起動の確認を要求することを特徴とする携帯無線通信端末（３００）を提案している。
【００１９】
この発明によれば、リモコン制御手段起動手段は、自動でリモコン制御手段を起動させる前に利用者に対して自動起動の確認を要求する。したがって、利用者の意志に反して勝手にリモコン制御手段が起動してしまうことが無く、使い勝手を向上できる。
【００２０】
（５）本発明は、（４）に記載の携帯無線通信端末において、前記リモコン制御手段起動手段（３０１）は、自動起動の確認を要求した利用者から自動起動不許可の指示をされた後、起動条件のうちのいずれかが不適合になってから再度起動条件を満たしたときには、自動で前記リモコン制御手段（３１０ａ）を起動させる前に利用者に対して自動起動の確認を要求することを特徴とする携帯無線通信端末（３００）を提案している。
【００２１】
この発明によれば、リモコン制御手段起動手段は、自動起動の確認を要求した利用者から自動起動不許可の指示をされた後、起動条件のうちのいずれかが不適合になってから再度起動条件を満たしたときには、自動でリモコン制御手段を起動させる前に利用者に対して自動起動の確認を要求する。したがって、一度起動不許可とされたとしても、その後に利用される可能性の高い状態において再度、自動起動を行える。
【００２２】
（６）本発明は、（１）から（５）までのいずれかに記載の携帯無線通信端末において、前記起動条件には、利用者による起動指示を含むことを特徴とする携帯無線通信端末（３００）を提案している。
【００２３】
この発明によれば、起動条件には、利用者による起動指示を含む。したがって、無線ＬＡＮホットスポット経由でネットワークに接続できるような場合に、リモコン制御手段を手動で起動して利用できる。
【００２４】
（７）本発明は、（１）から（６）までのいずれかに記載の携帯無線通信端末において、前記利用状況収集手段（３０７）は、前記操作手段（３０３）により操作された履歴を収集する操作履歴収集手段（３０７ａ）と、利用者が視聴したコンテンツの履歴を収集する視聴履歴収集手段（３０７ｂ）と、利用者が視聴したコンテンツに関して利用者が評価と評価の投票との少なくとも一方を行った履歴を収集するコンテンツ評価投票履歴収集手段（３０７ｃ）と、利用者が視聴したコンテンツに関して利用者が外部に対してコメントを発信した履歴を収集するコメント発信履歴収集手段（３０７ｄ）とのうちの少なくとも１つを含むことを特徴とする携帯無線通信端末（３００）を提案している。
【００２５】
この発明によれば、利用状況収集手段は、操作手段により操作された履歴を収集する操作履歴収集手段と、利用者が視聴したコンテンツの履歴を収集する視聴履歴収集手段と、利用者が視聴したコンテンツに関して利用者が評価と評価の投票との少なくとも一方を行った履歴を収集するコンテンツ評価投票履歴収集手段と、利用者が視聴したコンテンツに関して利用者が外部に対してコメントを発信した履歴を収集するコメント発信履歴収集手段とのうちの少なくとも１つを含む。したがって、利用者の利用状況を詳細かつ効率よく収集でき、利用者にとってより有益なコンテンツ情報を提供できる。
【００２６】
（８）本発明は、（１）から（７）までのいずれかに記載の携帯無線通信端末において、前記操作手段（３０３）は、前記表示手段（３０３）を利用したタッチパネルを含むことを特徴とする携帯無線通信端末（３００）を提案している。
【００２７】
この発明によれば、操作手段は、表示手段を利用したタッチパネルを含む。したがって、利用者はテレビ受像機を見なくても、手元の携帯無線通信端末のリモコン制御手段により、コンテンツの選択操作等を簡単に行うことができ、利用者が所望のコンテンツを容易に選択できる。
【００２８】
（９）本発明は、外部と無線通信回線を介して無線通信可能な携帯無線通信端末（３００）と、コンテンツの配信とコンテンツの放送との少なくとも一方を行うコンテンツ発信装置（５００）と、前記コンテンツ発信装置が配信又は放送するコンテンツを受信可能、かつ、前記携帯無線通信端末が発するリモコン信号を受信可能なコンテンツ受信装置（２００）と、レコメンドサーバ（６００）とを含むコンテンツ視聴システムであって、前記携帯無線通信端末は、当該携帯無線通信端末を識別する通信端末識別情報を記憶する通信端末識別情報記憶手段（３０９）と、外部と無線通信を行う通信手段（３０２）と、情報を表示する表示手段（３０３）と、少なくとも前記表示手段に表示された内容を選択操作入力可能な操作手段（３０３）と、複数のコンテンツを受信可能な前記コンテンツ受信装置を操作可能なリモコン信号に関する動作を制御するリモコン制御手段（３１０ａ）と、予め定めた起動条件を満たしたときに前記リモコン制御手段を起動させるリモコン制御手段起動手段（３０１）と、前記操作手段により操作入力されて選択された前記コンテンツに応じてリモコン信号を外部の前記コンテンツ受信装置に送信するリモコン信号送信手段（３０４）とを備え、前記リモコン制御手段は、前記通信手段を介して、前記通信端末識別情報記憶手段に記憶されている前記通信端末識別情報を外部の前記レコメンドサーバに送信し、かつ、コンテンツに関する情報であって前記レコメンドサーバから前記通信端末識別情報に応じて送られたコンテンツ情報を受信し、前記通信手段により得られた前記コンテンツ情報を前記表示手段に表示し、前記表示手段に表示された前記コンテンツ情報の中から利用者が選択するコンテンツの操作入力を前記操作手段により受け付け、前記リモコン制御手段は、さらに、利用者による利用状況を収集し、前記通信手段を介して前記利用状況を前記レコメンドサーバに送信する利用状況収集手段（３０７）を備え、前記起動条件には、前記通信手段を介して、及び／又は、当該携帯無線通信端末が有する位置検出手段により得られた位置情報が所定の範囲内となることを含み、前記レコメンドサーバは、前記携帯無線通信端末から取得した利用者による前記利用状況に応じて、前記コンテンツ情報を生成し、前記通信端末識別情報に応じて前記コンテンツ情報を前記携帯無線通信端末へ送信することを特徴とするコンテンツ視聴システムを提案している。
【００２９】
この発明によれば、通信端末識別情報記憶手段は、携帯無線通信端末を識別する通信端末識別情報を記憶する。通信手段は、外部と無線通信を行う。表示手段は、情報を表示する。操作手段は、少なくとも表示手段に表示された内容を選択操作入力可能にする。リモコン制御手段は、複数のコンテンツを受信可能なコンテンツ受信装置を操作可能なリモコン信号に関する動作を制御する。リモコン制御手段起動手段は、予め定めた起動条件を満たしたときにリモコン制御手段を起動させる。リモコン信号送信手段は、操作手段により操作入力されて選択されたコンテンツに応じてリモコン信号を外部のコンテンツ受信装置に送信する。リモコン制御手段は、通信手段を介して、通信端末識別情報記憶手段に記憶されている通信端末識別情報を外部のレコメンドサーバに送信する。かつ、リモコン制御手段は、コンテンツに関する情報であってレコメンドサーバから通信端末識別情報に応じて送られたコンテンツ情報を受信する。また、リモコン制御手段は、通信手段により得られたコンテンツ情報を表示手段に表示する。さらに、リモコン制御手段は、記表示手段に表示されたコンテンツ情報の中から利用者が選択するコンテンツの操作入力を操作手段により受け付ける。リモコン制御手段は、さらにまた、利用者による利用状況を収集し、通信手段を介して利用状況をレコメンドサーバに送信する利用状況収集手段を備える。レコメンドサーバは、携帯無線通信端末から取得した利用者毎の利用状況に応じて、コンテンツ情報を生成し、通信端末識別情報に応じてコンテンツ情報を携帯無線通信端末へ送信する。したがって、利用者が所有する携帯無線通信端末を利用するだけで、リモコン制御手段（リモコンアプリケーション）を自動的に起動させることができる。そして、自動的に認証が行われ、利用者にレコメンドされコンテンツ情報を取得できる。よって、利用者はテレビ受像機を見なくても、手元の携帯無線通信端末のリモコン制御手段により、利用の仕方が簡便であって、利用者が所望のコンテンツを容易に選択できる。
【００３０】
（１０）本発明は、携帯無線通信端末を識別する通信端末識別情報を記憶する通信端末識別情報記憶手段（３０９）と、外部と無線通信を行う通信手段（３０２）と、情報を表示する表示手段（３０３）と、少なくとも前記表示手段に表示された内容を選択操作入力可能な操作手段（３０３）とを備え、外部と無線通信回線を介して無線通信可能な携帯無線通信端末（３００）の制御方法であって、前記通信手段を介して、及び／又は、前記携帯無線通信端末が有する位置検出手段により得られた位置情報が所定の範囲内となることを条件に含む予め定めた起動条件を満たしたときに、複数のコンテンツを受信可能なコンテンツ受信装置（２００）を操作可能なリモコン信号に関する動作を制御するリモコン制御手段（３１０ａ）を起動させ、前記操作手段により操作入力されて選択された前記コンテンツに応じて前記リモコン信号を外部の前記コンテンツ受信装置に送信し、前記リモコン制御手段では、前記通信手段を介して、前記通信端末識別情報記憶手段に記憶されている前記通信端末識別情報を外部のレコメンドサーバ（６００）に送信し、かつ、コンテンツに関する情報であって前記レコメンドサーバから前記通信端末識別情報に応じて送られたコンテンツ情報を受信し、前記通信手段により得られた前記コンテンツ情報を前記表示手段に表示し、前記表示手段に表示された前記コンテンツ情報の中から利用者が選択するコンテンツの操作入力を前記操作手段により受け付け、さらに、利用者による利用状況を収集し、前記通信手段を介して前記利用状況を前記レコメンドサーバに送信することを特徴とする携帯無線通信端末の制御方法を提案している。
【００３１】
この発明によれば、携帯無線通信端末の制御方法は、予め定めた起動条件を満たしたときに、複数のコンテンツを受信可能なコンテンツ受信装置を操作可能なリモコン信号に関する動作を制御するリモコン制御手段を起動させ、操作手段により操作入力されて選択されたコンテンツに応じてリモコン信号を外部のコンテンツ受信装置に送信する。リモコン制御手段では、通信手段を介して、通信端末識別情報記憶手段に記憶されている通信端末識別情報を外部のレコメンドサーバに送信し、かつ、コンテンツに関する情報であってレコメンドサーバから通信端末識別情報に応じて送られたコンテンツ情報を受信し、通信手段により得られたコンテンツ情報を表示手段に表示し、表示手段に表示されたコンテンツ情報の中から利用者が選択するコンテンツの操作入力を操作手段により受け付け、さらに、利用者による利用状況を収集し、通信手段を介して利用状況をレコメンドサーバに送信する。したがって、利用者が所有する携帯無線通信端末を利用するだけで、リモコン制御手段（リモコンアプリケーション）を自動的に起動させることができる。そして、自動的に認証が行われ、利用者にレコメンドされコンテンツ情報を取得できる。よって、利用者はテレビ受像機を見なくても、手元の携帯無線通信端末のリモコン制御手段により、利用の仕方が簡便であって、利用者が所望のコンテンツを容易に選択できる。
【００３２】
（１１）本発明は、携帯無線通信端末を識別する通信端末識別情報を記憶する通信端末識別情報記憶手段（３０９）と、外部と無線通信を行う通信手段（３０２）と、情報を表示する表示手段（３０３）と、少なくとも前記表示手段に表示された内容を選択操作入力可能な操作手段（３０３）とを備え、外部と無線通信回線を介して無線通信可能な携帯無線通信端末（３００）の制御プログラムであって、コンピュータを、複数のコンテンツを受信可能なコンテンツ受信装置（２００）を操作可能なリモコン信号に関する動作を制御するリモコン制御手段（３１０ａ）と、前記通信手段を介して、及び／又は、前記携帯無線通信端末が有する位置検出手段により得られた位置情報が所定の範囲内となることを条件に含む予め定めた起動条件を満たしたときに前記リモコン制御手段を起動させるリモコン制御手段起動手段（３０１）と、前記操作手段により操作入力されて選択された前記コンテンツに応じて前記リモコン信号を外部の前記コンテンツ受信装置に送信するリモコン信号送信手段（３０４）として機能させるための制御プログラムであり、さらに、コンピュータを、前記リモコン制御手段が、前記通信手段を介して、前記通信端末識別情報記憶手段に記憶されている前記通信端末識別情報を外部のレコメンドサーバ（６００）に送信し、かつ、前記コンテンツに関する情報であって前記レコメンドサーバから前記通信端末識別情報に応じて送られたコンテンツ情報を受信し、前記通信手段により得られた前記コンテンツ情報を前記表示手段に表示し、前記表示手段に表示された前記コンテンツ情報の中から利用者が選択するコンテンツの操作入力を前記操作手段により受け付けるように機能させ、さらに、利用者による利用状況を収集し、前記通信手段を介して前記利用状況を前記レコメンドサーバに送信する利用状況収集手段（３０７）として機能させるための携帯無線通信端末の制御プログラムを提案している。
【００３３】
この発明によれば、リモコン制御手段では、複数のコンテンツを受信可能なコンテンツ受信装置を操作可能なリモコン信号に関する動作を制御する。リモコン制御手段起動手段では、予め定めた起動条件を満たしたときにリモコン制御手段を起動させる。リモコン信号送信手段では、操作手段により操作入力されて選択されたコンテンツに応じてリモコン信号を外部のコンテンツ受信装置に送信する。さらに、リモコン制御手段では、通信手段を介して、通信端末識別情報記憶手段に記憶されている通信端末識別情報を外部のレコメンドサーバに送信する。また、リモコン制御手段では、コンテンツに関する情報であってレコメンドサーバから通信端末識別情報に応じて送られたコンテンツ情報を受信する。さらに、リモコン制御手段では、通信手段により得られたコンテンツ情報を表示手段に表示する。さらにまた、リモコン制御手段では、表示手段に表示されたコンテンツ情報の中から利用者が選択するコンテンツの操作入力を操作手段により受け付けるように機能させる。利用状況収集手段では、利用者による利用状況を収集し、通信手段を介して利用状況を前記レコメンドサーバに送信する。したがって、利用者が所有する携帯無線通信端末を利用するだけで、リモコン制御手段（リモコンアプリケーション）を自動的に起動させることができる。そして、自動的に認証が行われ、利用者にレコメンドされコンテンツ情報を取得できる。よって、利用者はテレビ受像機を見なくても、手元の携帯無線通信端末のリモコン制御手段により、利用の仕方が簡便であって、利用者が所望のコンテンツを容易に選択できる。
【発明の効果】
【００３４】
本発明によれば、利用者はテレビ受像機を見なくても、手元の携帯無線通信端末のリモコン制御手段により、利用の仕方が簡便であって、利用者が所望のコンテンツを容易に選択できる。
【図面の簡単な説明】
【００３５】
【図１】本発明による携帯無線通信端末を含むコンテンツ視聴システムの実施形態を示すブロック図である。
【図２】携帯無線通信端末３００の構成を示すブロック図である。
【図３】携帯無線通信端末３００の外観を示す図である。
【図４】テレビ受像機１００、及び、ＳＴＢ２００の電源オンと、テレビ画面上での多チャネル放送表示と通常ＥＰＧ表示を示すフローチャートである。
【図５】リモコンアプリケーション起動部３０１が起動条件１によりリモコンアプリケーション３１０ａを起動するときの動作を示すフローチャートである。
【図６】リモコンアプリケーション起動部３０１が起動条件２によりリモコンアプリケーション３１０ａを起動するときの動作を示すフローチャートである。
【図７】リモコンアプリケーション起動部３０１が起動条件３によりリモコンアプリケーション３１０ａを起動するときの動作を示すフローチャートである。
【図８】携帯無線通信端末３００の画面上で多チャンネル放送の番組が選択されたときの動作を示すフローチャートである。
【図９】携帯無線通信端末３００の画面上に利用者に対してレコメンドされたコンテンツ情報（パーソナライズドコンテンツ）を表示する動作を示すフローチャートである。
【図１０】携帯無線通信端末３００の画面上でのプロモーションビデオ又は関連情報等の番組閲覧の動作を示すフローチャートである。
【図１１】携帯無線通信端末３００の画面上でのコンテンツの選択と購入、及び、テレビ受像機１００の画面上でのコンテンツ表示の動作を示すフローチャートである。
【図１２】携帯無線通信端末３００の画面上での番組評価と投票の動作を示すフローチャートである。
【図１３】携帯無線通信端末３００の画面上でのユーザプロファイル更新の動作を示すフローチャートである。
【図１４】携帯無線通信端末３００の画面上でのソーシャルネットワークによるコメント発信の動作を示すフローチャートである。
【図１５】携帯無線通信端末３００の画面上での多チャネル放送の番組録画予約の動作を示すフローチャートである。
【図１６】リモコンアプリケーション３１０ａを手動で起動してコンテンツ情報を取得するときの動作を示すフローチャートである。
【図１７】本実施形態の携帯無線通信端末を表示部と操作部を独立して備える形態とした変形形態を示す図である。
【発明を実施するための形態】
【００３６】
以下、図面を用いて、本発明の実施形態について詳細に説明する。
なお、本実施形態における構成要素は適宜、既存の構成要素等との置き換えが可能であり、また、他の既存の構成要素との組み合わせを含む様々なバリエーションが可能である。したがって、本実施形態の記載をもって、特許請求の範囲に記載された発明の内容を限定するものではない。
【００３７】
（実施形態）
図１は、本発明による携帯無線通信端末を含むコンテンツ視聴システムの実施形態を示すブロック図である。
本実施形態のコンテンツ視聴システムは、テレビ受像機１００と、ＳＴＢ２００と、携帯無線通信端末３００と、無線基地局４００と、コンテンツ配信サーバ５００と、レコメンドサーバ６００と、認証課金サーバ７００と、外部サーバ８００と、無線ＬＡＮルータ９００とを備えている。なお、図１において、テレビ受像機１００と、ＳＴＢ２００と、携帯無線通信端末３００と、無線ＬＡＮルータ９００とを囲む破線は、利用者の宅内に設けられていることを示すものである。
【００３８】
テレビ受像機１００は、地上デジタル放送に対応したコンテンツ受信装置であり、ＲＦ信号送受信部１０１と、ディスプレイ部１０２とを備えている。
ＲＦ信号送受信部１０１は、ＳＴＢ２００のＲＦ信号送受信部２０３と接続されており、コンテンツの送受信を行う。
ディスプレイ部１０２は、テレビ受像機１００が有する不図示の受信部が放送波を介して受信した映像や、ＲＦ信号送受信部１０１を介して受信した映像等を表示する液晶ディスプレイ装置等の表示部である。
【００３９】
ＳＴＢ２００は、映像／制御信号送受信部２０１と、コンテンツ録画部２０２と、ＲＦ信号送受信部２０３と、リモコン信号受信部２０４とを備えたコンテンツ受信装置である。
映像／制御信号送受信部２０１は、ブロードバンド回線やケーブルテレビ回線を介して映像信号や制御信号をコンテンツ配信サーバ５００との間で送受信する。本実施形態の映像／制御信号送受信部２０１は、無線ＬＡＮルータ９００を介した固定有線通信により、ブロードバンド回線やケーブルテレビ回線に接続されている。
コンテンツ録画部２０２は、映像／制御信号送受信部２０１により得たコンテンツを録画するメモリやハードディスク装置である。
ＲＦ信号送受信部２０３は、テレビ受像機１００のＲＦ信号送受信部１０１と接続されており、コンテンツの送受信を行う。
リモコン信号受信部２０４は、携帯無線通信端末３００から送られたリモコン信号を受信する。なお、本実施形態では、リモコン信号受信部２０４は、赤外線のリモコン信号を受信するが、電波を使った近距離通信等を用いるものであってもよい。
本実施形態のテレビ受像機１００は、単体でも地上デジタル放送等の放送波を受信して映像を表示できるが、以下では、ＳＴＢ２００から得たコンテンツ等を表示するものとして説明する。
【００４０】
携帯無線通信端末３００は、携帯電話サービスを利用する携帯電話端末である。本実施形態の携帯無線通信端末３００は、複数のアプリケーションをアプリケーション格納部３１０に格納しており、必要に応じてこれらアプリケーションを起動することにより、様々な機能を実現できる。本実施形態の携帯無線通信端末３００は、リモコンアプリケーション３１０ａを格納しており、このリモコンアプリケーション３１０ａを起動することにより、ＳＴＢ２００をリモートコントロールするリモコン信号を送信するリモコン制御手段としての機能を実現できる。
図２は、携帯無線通信端末３００の構成を示すブロック図である。
図３は、携帯無線通信端末３００の外観を示す図である。
本実施形態の携帯無線通信端末３００は、リモコンアプリケーション起動部３０１と、通信部３０２と、表示操作部３０３と、リモコン信号送信部３０４と、コンテンツ評価投票部３０５と、コメント発信部３０６と、利用状況収集部３０７と、位置検出部３０８と、通信端末識別情報記憶部３０９と、アプリケーション格納部３１０とを備えている。
【００４１】
リモコンアプリケーション起動部３０１は、予め定めた起動条件を満たしたときにリモコンアプリケーション３１０ａ（リモコン制御手段）を起動させるリモコン制御手段起動手段としての機能を有している。本実施形態のリモコンアプリケーション起動部３０１は、起動条件として以下に示す４つの起動条件を有している。
【００４２】
（起動条件１）
起動条件１では、リモコンアプリケーション起動部３０１は、位置検出部３０８が検出した携帯無線通信端末３００の位置情報が示す位置が、所定の範囲内に入っているときに、リモコンアプリケーション３１０ａを起動する。ここで、所定の範囲内とは、ＳＴＢ２００が設置されている位置と設定した位置から、所定の距離内（例えば、半径５０メートル等）の範囲内である。なお、「ＳＴＢ２００が設置されている位置と設定した位置」とは、ＳＴＢ２００が実際に設置されている位置に近い位置で予め携帯無線通信端末３００の位置情報を取得し、これをＳＴＢ２００が設置されている位置とみなした緯度経度情報である。
【００４３】
（起動条件２）
起動条件２では、リモコンアプリケーション起動部３０１は、通信部３０２が無線ＬＡＮルータとの通信を確立した場合に、その通信を確立した無線ＬＡＮルータが、予め定めた宅内に配置されている無線ＬＡＮルータ９００であるときに、リモコンアプリケーション３１０ａを起動する。具体的には、リモコンアプリケーション起動部３０１は、宅内に配置されている無線ＬＡＮルータ９００のルータ識別情報を予め記憶しておき、無線ＬＡＮが使用可能なエリアに入ったときに、無線ＬＡＮルータのルータ識別情報を確認して、リモコンアプリケーション３１０ａを起動するか否かを判断する。
【００４４】
（起動条件３）
起動条件３では、リモコンアプリケーション起動部３０１は、上記起動条件１と起動条件２との両方を満たしたときに、リモコンアプリケーション３１０ａを起動する。すなわち、リモコンアプリケーション起動部３０１は、位置検出部３０８が検出した携帯無線通信端末３００の位置情報が示す位置が、所定の範囲内に入り、かつ、通信部３０２が通信を確立した無線ＬＡＮルータが、予め定めた宅内に配置されている無線ＬＡＮルータ９００であるときに、リモコンアプリケーション３１０ａを起動する。
【００４５】
（起動条件４）
起動条件４では、リモコンアプリケーション起動部３０１は、利用者が表示操作部３０３を用いて手動でリモコンアプリケーション３１０ａ起動の指示が行われたときに、リモコンアプリケーション３１０ａを起動する。
【００４６】
なお、リモコンアプリケーション起動部３０１が、上述した４つの起動条件のいずれにしたがって動作を行うのかは、利用者が表示操作部３０３を用いて予め設定する。
【００４７】
通信部３０２は、外部と無線通信を行う。本実施形態の通信部３０２は、携帯電話サービスに用いられる無線通信回線を介して無線通信を行う他、外部と有線接続された無線ＬＡＮルータを介して外部と無線通信を行うことができる。通信部３０２は、通信端末識別情報記憶部３０９に記憶されている携帯無線通信端末３００に固有の通信端末識別情報を外部のレコメンドサーバ６００に送信する。また、通信部３０２は、レコメンドサーバ６００から通信端末識別情報に応じて送られたコンテンツ情報を受信する。携帯電話端末等の携帯無線通信端末は、通常、個人の利用者に紐付くことが多い。そこで、本実施形態では、利用者を特定するための情報として通信端末識別情報を用いている。
【００４８】
ここで、コンテンツ情報とは、後述のコンテンツ配信サーバ５００が配信するコンテンツに関する情報である。具体的には、利用者毎にレコメンドされた情報である。レコメンドされた情報とは、利用者に関連が高そうな情報や、利用者が関心を持ちそうな情報を選択して勧めるための情報等である。
例えば、利用者が父親である携帯無線通信端末３００の通信端末識別情報により認証された場合、その父親がよく視聴しているコンテンツが野球中継であれば、野球に関連性の高いコンテンツや広告等をコンテンツ情報に含める。また、利用者が子供である携帯無線通信端末３００の通信端末識別情報により認証された場合、その子供がよく視聴しているコンテンツがアニメーション作品であれば、アニメーション作品に関連性の高いコンテンツや教育関連のコンテンツ及び情報等をコンテンツ情報に含める。
【００４９】
なお、コンテンツ情報には、レコメンドされたコンテンツに関する情報の他に、配信される全てのコンテンツに関する情報も付加してもよい。例えば、レコメンドされたお勧めの番組情報の他に、放送予定の番組全ての情報もコンテンツ情報に含めてもよい。その場合、どちらの情報を見るのかを利用者に選択してもらうようにするとよい。
なお、通信部３０２とレコメンドサーバ６００との間の通信は、携帯電話サービス事業者が提供する無線通信回線を用いるが、無線ＬＡＮルータ９００を介して通信を行ってもよい。
【００５０】
表示操作部３０３は、通信手段により得られたコンテンツ情報等の各種情報を表示する表示手段として機能する。また、表示操作部３０３は、表示されたコンテンツ情報の中から利用者が選択するコンテンツを操作入力する等の各種入力操作が可能な操作手段としても機能する。具体的には、本実施形態では、タッチパネル入力機能を持つ液晶表示装置を設けている。図３には、利用者「Ａさん」に対してレコメンドされた情報として、３つのお勧めコンテンツが表示された例を示している。
【００５１】
リモコン信号送信部３０４は、表示操作部３０３に表示された多チャンネル放送の番組表の中から操作入力されて選択されたコンテンツに応じてリモコン信号を外部のＳＴＢ２００に送信する。上述したように、本実施形態では、リモコン信号送信部３０４は、赤外線のリモコン信号を送信する。
【００５２】
コンテンツ評価投票部３０５は、コンテンツを視聴した利用者が、その視聴済みのコンテンツに対する評価を投票する。具体的には、コンテンツ評価投票部３０５は、利用者がコンテンツを視聴し終わった段階で、評価を促す表示を表示操作部３０３により利用者に対して提示する。これに応じて利用者が評価を行った場合、その評価結果をレコメンドサーバ６００へ送る。評価は、例えば満足度の５段階評価等、簡単な評価であってもよいし、後述のコメント発信部３０６によるコメントと同様なコメントを含む評価であってもよい。
【００５３】
コメント発信部３０６は、コンテンツを視聴した利用者が、その視聴済みのコンテンツについてのコメントを外部サーバ８００に設けられたソーシャルネットワーク上やｗｅｂページ上等に対して発信する。
【００５４】
利用状況収集部３０７は、利用者による利用状況を収集し、収集した利用状況を通信部３０２によりレコメンドサーバ６００に送信する。ここで、利用状況とは、利用者がどのような操作を行ったのか、どのコンテンツを視聴したのか、そのコンテンツについてどの程度満足したのか等の情報である。本実施形態の利用状況収集部３０７は、操作履歴収集部３０７ａと、視聴履歴収集部３０７ｂと、コンテンツ評価投票履歴収集部３０７ｃと、コメント発信履歴収集部３０７ｄとを備えている。利用状況収集部３０７は、これら各収集部が収集した履歴を利用状況としてレコメンドサーバ６００に送信する。本実施形態の利用状況収集部３０７は、後述のリモコンアプリケーション３１０ａが有する機能の一部として構成されているが、図２では、理解を容易にするために、機能ブロックとして記載している。
なお、電波状況が悪い等の理由により通信部３０２が外部との通信を行えない場合には、利用状況収集部３０７は、通信が行えるようになるまで、収集した利用状況を不図示のメモリ等に記憶させて保持する。
【００５５】
操作履歴収集部３０７ａは、利用者が表示操作部３０３を用いて行った操作の履歴を収集する。ここで、操作の履歴には、例えば、利用者がコンテンツを検索したときの検索履歴や、コンテンツを視聴しなくともコンテンツ情報に含まれる情報を閲覧した閲覧履歴等を含む。
視聴履歴収集部３０７ｂは、利用者が視聴したコンテンツの視聴履歴を収集する。
コンテンツ評価投票履歴収集部３０７ｃは、コンテンツ評価投票部３０５により利用者が行ったコンテンツの評価履歴を収集する。
コメント発信履歴収集部３０７ｄは、コメント発信部３０６により利用者が行ったコンテンツについてのコメントの発信履歴を収集する。
【００５６】
位置検出部３０８は、携帯無線通信端末３００の位置情報を取得する。位置検出部３０８による位置情報の取得方法としては、例えば、ＧＰＳ（Global Positioning System）を利用したり、基地局から位置情報を得たり、これらを複合的に利用したりするとよい。
【００５７】
通信端末識別情報記憶部３０９は、個々の携帯無線通信端末に固有の情報であって、携帯無線通信端末を識別することができる通信端末識別情報を記憶している。通信端末識別情報記憶部３０９は、例えば、携帯無線通信端末３００に着脱可能なＳＩＭカード（Subscriber Identity Module Card）等に設けられている。
【００５８】
アプリケーション格納部３１０は、リモコン制御手段として機能するリモコンアプリケーション３１０ａを格納する。リモコンアプリケーション３１０ａは、ＳＴＢ２００を操作可能なリモコン信号に関する動作を制御するアプリケーションプログラムであり、リモコンアプリケーション起動部３０１により起動されて動作を行う。
【００５９】
無線基地局４００は、携帯電話サービス事業者が提供する無線通信回線の基地局であり、携帯無線通信端末３００との間の無線通信を中継する。
【００６０】
コンテンツ配信サーバ５００は、ＩＰＴＶ事業者又はケーブルテレビ事業者が有するコンテンツ発信装置であり、コンテンツの配信を行う。本実施形態のコンテンツ配信サーバ５００は、フォーマット変換部５０１と、コンテンツ配信部５０２と、映像／制御信号送受信部５０３とを備えている。
フォーマット変換部５０１は、コンテンツを配信する配信経路に合わせてコンテンツのデータ形式を変換する。
コンテンツ配信部５０２は、映像／制御信号送受信部５０３を介してＳＴＢ２００から得た制御信号に基づいて、ＳＴＢ２００へコンテンツを配信する。
映像／制御信号送受信部５０３は、ブロードバンド回線やケーブルテレビ回線を介して映像信号や制御信号をＳＴＢ２００との間で送受信する。
なお、コンテンツ配信サーバ５００は、閉域網を介してレコメンドサーバ６００、認証課金サーバ７００、外部サーバ８００と接続されている。
【００６１】
レコメンドサーバ６００は、携帯無線通信端末３００から得た通信端末識別情報に基づいて、該当する利用者に対してレコメンドしたコンテンツ情報を生成し、生成したコンテンツ情報を携帯無線通信端末３００に送る。本実施形態のレコメンドサーバ６００は、コンテンツデータベース（以下、データベースをＤＢと表す）６０１と、広告／関連情報ＤＢ６０２と、ユーザプロファイルＤＢ６０３と、ＥＰＧＤＢ６０４と、配信コンテンツ生成部６０５と、レコメンドエンジン部６０６と、ユーザプロファイル収集部６０７とを備えている。
【００６２】
コンテンツＤＢ６０１は、配信するコンテンツを記憶すると共に、コンテンツに関する各種情報をコンテンツに関連付けて記憶する。ここで、コンテンツに関する各種情報とは、例えば、コンテンツのジャンルや、内容、キーワード、対象年齢等である。なお、コンテンツＤＢ６０１には、放送として配信されるコンテンツと、ＶＯＤとして配信されるコンテンツとが記憶されている。
【００６３】
広告／関連情報ＤＢ６０２は、コンテンツと共に配信する広告や関連情報を記憶すると共に、広告や関連情報に関する各種情報を広告や関連情報に関連付けて記憶する。ここで、広告や関連情報に関する各種情報とは、上記コンテンツに関する各種情報と同様に、広告や関連情報のジャンルや、内容、キーワード、対象年齢等である。また、関連情報とは、広告ではないが、利用者に伝えたい一般的な情報を指し、具体的な情報の内容としてはどのような情報であってもよい。
【００６４】
ユーザプロファイルＤＢ６０３は、後述のユーザプロファイル収集部６０７が収集した利用者毎、すなわち、端末識別情報毎のプロファイルを記憶する。
ＥＰＧＤＢ６０４は、コンテンツＤＢに記憶されているコンテンツのうち、放送として配信されるコンテンツのＥＰＧ（Electronic Program Guide：電子番組ガイド）に関する情報を記憶する。
配信コンテンツ生成部６０５は、コンテンツ配信サーバ５００が配信するコンテンツをレコメンドエンジン部６０６によりレコメンドされたコンテンツ情報の各種情報に基づきコンテンツＤＢ６０１から抽出し、配信可能な状態とする。また、配信コンテンツ生成部６０５は、レコメンドエンジン部６０６によりレコメンドされたコンテンツ情報と関連性のある広告／関連情報を広告／関連情報ＤＢ６０２から抽出し、１つのコンテンツの形態として配信可能なデータとして生成する。
【００６５】
レコメンドエンジン部６０６は、携帯無線通信端末３００から通信端末識別情報を取得する。そして、取得した通信端末識別情報に該当するユーザプロファイルを、ユーザプロファイルＤＢ６０３に記憶されているユーザプロファイル中から抽出する。その後、抽出したユーザプロファイルに基づいて、利用者に対してレコメンドしたコンテンツ情報と関連性のある広告／関連情報を生成し、携帯無線通信端末３００へ送信する。
【００６６】
ユーザプロファイル収集部６０７は、携帯無線通信端末３００から取得した利用者による利用状況からユーザプロファイルに含める情報を収集し、ユーザプロファイルＤＢ６０３に記憶されているユーザプロファイルを更新する。具体的には、操作の履歴と、コンテンツの視聴履歴と、コンテンツの評価履歴と、コメントの発信履歴とを収集し、ユーザプロファイル自体を更新する。
【００６７】
認証課金サーバ７００は、コンテンツの視聴に関連して行う課金処理を行う。ここで、課金処理には、放送を一定期間（例えば、１ヶ月単位）視聴するために発生する課金や、有料放送に対する課金、ＶＯＤに対する課金等を含む。なお、無料のコンテンツや放送であるときには、課金を行わなくてもよい。認証課金サーバ７００は、ユーザ認証ＤＢ７０１と、課金ＤＢ７０２と、利用者認証判定部７０３と、課金部７０４とを備えている。
ユーザ認証ＤＢ７０１は、認証されて正規に登録されたユーザ情報を記憶する。
課金ＤＢ７０２は、いずれのコンテンツやサービスに対していくら課金するのかといった課金情報を記憶する。
利用者認証判定部７０３は、利用者の認証を行う。利用者の認証は、携帯無線通信端末３００の通信端末識別情報により行っているが、課金を行うときには、さらに安全性を高めるために、例えば、パスワードの入力を追加的に要求する。
課金部７０４は、正規に認証された利用者に対して、課金処理を行うと共に、課金処理の結果をコンテンツ配信サーバに送る。
【００６８】
外部サーバ８００は、例えば、外部に設けられた他のサービス等に用いられるサーバである。本実施形態では、ソーシャルネットワークのサーバである例を示しており、外部サーバ８００は、ソーシャルネットワーク外部Ｉ／Ｆ（インタフェース）を備えている。この外部サーバ８００に設けられているソーシャルネットワーク上では、本実施形態のコンテンツ視聴システムで配信されるコンテンツに関してのコメントをアップロードできる環境が設けられている。
【００６９】
無線ＬＡＮルータ９００は、利用者が宅内で利用する無線ＬＡＮ環境を提供し、ＳＴＢ２００及び携帯無線通信端末３００との間で無線通信が可能である。無線ＬＡＮルータ９００は、無線ＬＡＮルータ毎に割り当てられた固有のルータ識別情報を有している。ここで、無線ＬＡＮルータ固有のルータ識別情報とは、例えば、無線ＬＡＮルータが持つＳＳＩＤやＭＡＣアドレス等である。
【００７０】
次に、本実施形態のコンテンツ視聴システムの動作について、フローチャートに基づいて説明する。
図４は、テレビ受像機１００、及び、ＳＴＢ２００の電源オンと、テレビ画面上での多チャネル放送表示と通常ＥＰＧ表示を示すフローチャートである。
ステップ（以下、Ｓとする）１０１では、テレビ受像機１００とＳＴＢ２００の電源がオンされる。
Ｓ１０２では、ＲＦ信号送受信部１０１が、ＳＴＢ２００に対して多チャンネル放送と通常ＥＰＧ送信の要求を行う。
Ｓ１０３では、ＲＦ信号送受信部２０３が、映像／制御信号送受信部２０１へ多チャンネル放送と通常ＥＰＧ送信の要求信号を伝える。
Ｓ１０４では、映像／制御信号送受信部２０１が、多チャンネル放送と通常ＥＰＧ送信の要求信号をレコメンドサーバ６００に送信する。
Ｓ１０５では、レコメンドエンジン部６０６が、ＥＰＧ情報が存在しているか否かを確認する。ここでは、ＥＰＧ情報ありの場合を説明する。
Ｓ１０６では、配信コンテンツ生成部６０５が、多チャンネル放送と通常ＥＰＧ用のデータ生成を行う。
Ｓ１０７では、フォーマット変換部５０１が、コンテンツのフォーマット変換を行う。
Ｓ１０８では、コンテンツ配信部５０２が、コンテンツ（多チャンネル放送）と通常ＥＰＧ情報の配信を行う。
Ｓ１０９では、映像／制御信号送受信部５０３が、映像信号と制御信号をＳＴＢ２００へ送信する。
Ｓ１１０では、映像／制御信号送受信部２０１が、コンテンツ配信サーバ５００から映像信号と制御信号とを受信する。
Ｓ１１１では、ＲＦ信号送受信部２０３が、ＲＦ信号をテレビ受像機１００へ送信する。
Ｓ１１２では、ＲＦ信号送受信部１０１が、ＲＦ信号受信をＳＴＢ２００から受信する。
Ｓ１１３では、ディスプレイ部１０２が、多チャンネル放送と通常ＥＰＧの表示を行う。
【００７１】
図５は、リモコンアプリケーション起動部３０１が起動条件１によりリモコンアプリケーション３１０ａを起動するときの動作を示すフローチャートである。
Ｓ２０１では、位置検出部３０８が、位置情報を取得する。
Ｓ２０２では、取得した位置情報が、所定の範囲内、すなわち、利用者のＳＴＢ２００が設置されている位置と設定した位置から、所定の距離内にあるか否かを判断する。所定の範囲内であるときには、Ｓ２０３へ進み、所定の範囲外であるときには、Ｓ２０１へ戻る。
Ｓ２０３では、リモコンアプリケーション起動部３０１が、リモコンアプリケーション３１０ａの起動を開始する前に、利用者に対してリモコンアプリケーション３１０ａの起動を行ってもよいか否かの確認を行う。具体的には、表示操作部３０３を用いて確認表示を行い、確認入力を促す。
Ｓ２０４では、リモコンアプリケーション起動部３０１が、Ｓ２０３での確認の結果が、起動許可であるか起動不許可であるかを判断する。起動許可の場合には、Ｓ２０６へ進み、起動不許可の場合には、Ｓ２０５へ進む。
Ｓ２０５では、位置検出部３０８が、引き続き位置情報を取得し、リモコンアプリケーション起動部３０１が、取得した位置情報が所定の範囲外となったか否かを判断する。所定の範囲外となったときには、利用者が宅内から外出等をしたと推測されるので、Ｓ２０１からのフローに戻る。取得した位置情報が所定の範囲外となっていないときには、起動不許可にした後も利用者が宅内にいると推測されるので、Ｓ２０５の判断を繰り返す。
Ｓ２０６では、リモコンアプリケーション起動部３０１が、リモコンアプリケーション３１０ａを起動させる。
Ｓ２０７では、通信部３０２が、リモコンアプリケーション起動が完了したことを利用者認証判定部７０３へ送信する。
Ｓ２０８では、表示操作部３０３が、十字キーや数字キー表示を行う。
【００７２】
図６は、リモコンアプリケーション起動部３０１が起動条件２によりリモコンアプリケーション３１０ａを起動するときの動作を示すフローチャートである。
Ｓ３０１では、通信部３０２が、無線ＬＡＮルータのルータ識別情報を取得する。
Ｓ３０２では、取得したルータ識別情報が、宅内に配置されている無線ＬＡＮルータ９００のルータ識別情報と一致しているか否かを判断する。一致する場合には、Ｓ３０３へ進み、一致しない場合には、Ｓ３０１へ戻る。
Ｓ３０３では、リモコンアプリケーション起動部３０１が、リモコンアプリケーション３１０ａの起動を開始する前に、利用者に対してリモコンアプリケーション３１０ａの起動を行ってもよいか否かの確認を行う。具体的には、表示操作部３０３を用いて確認表示を行い、確認入力を促す。
Ｓ３０４では、リモコンアプリケーション起動部３０１が、Ｓ３０３での確認の結果が、起動許可であるか起動不許可であるかを判断する。起動許可の場合には、Ｓ３０６へ進み、起動不許可の場合には、Ｓ３０５へ進む。
Ｓ３０５では、通信部３０２が無線ＬＡＮルータ９００に対してポーリングを行い、無線ＬＡＮルータ９００との通信が途切れているか否かの判断を行う。無線ＬＡＮルータ９００との通信が途切れた場合には、利用者が宅内から外出等をしたと推測されるので、Ｓ３０１からのフローに戻る。無線ＬＡＮルータ９００との通信が途切れていない場合には、起動不許可にした後も利用者が宅内にいると推測されるので、Ｓ３０５の判断を繰り返す。
Ｓ３０６では、リモコンアプリケーション起動部３０１が、リモコンアプリケーション３１０ａを起動させる。
Ｓ３０７では、通信部３０２が、リモコンアプリケーション起動が完了したことを利用者認証判定部７０３へ送信する。
Ｓ３０８では、表示操作部３０３が、十字キーや数字キー表示を行う。
【００７３】
図７は、リモコンアプリケーション起動部３０１が起動条件３によりリモコンアプリケーション３１０ａを起動するときの動作を示すフローチャートである。
Ｓ４０１では、位置検出部３０８が、位置情報を取得する。
Ｓ４０２では、取得した位置情報が、所定の範囲内、すなわち、利用者のＳＴＢ２００が設置されている位置と設定した位置から、所定の距離内にあるか否かを判断する。所定の範囲内であるときには、Ｓ４０３へ進み、所定の範囲外であるときには、Ｓ４０１へ戻る。
Ｓ４０３では、通信部３０２が、無線ＬＡＮルータのルータ識別情報を取得する。
Ｓ４０４では、取得したルータ識別情報が、宅内に配置されている無線ＬＡＮルータ９００のルータ識別情報と一致しているか否かを判断する。一致する場合には、Ｓ４０５へ進み、一致しない場合には、Ｓ４０３へ戻る。
Ｓ４０５では、リモコンアプリケーション起動部３０１が、リモコンアプリケーション３１０ａの起動を開始する前に、利用者に対してリモコンアプリケーション３１０ａの起動を行ってもよいか否かの確認を行う。具体的には、表示操作部３０３を用いて確認表示を行い、確認入力を促す。
Ｓ４０６では、リモコンアプリケーション起動部３０１が、Ｓ４０５での確認の結果が、起動許可であるか起動不許可であるかを判断する。起動許可の場合には、Ｓ４０８へ進み、起動不許可の場合には、Ｓ４０７へ進む。
Ｓ４０７では、通信部３０２が無線ＬＡＮルータ９００に対してポーリングを行い、無線ＬＡＮルータ９００との通信が途切れているか否かの判断を行う。無線ＬＡＮルータ９００との通信が途切れた場合には、利用者が宅内から外出等をしたと推測されるので、Ｓ４０１からのフローに戻る。無線ＬＡＮルータ９００との通信が途切れていない場合には、起動不許可にした後も利用者が宅内にいると推測されるので、Ｓ４０７の判断を繰り返す。
Ｓ４０８では、リモコンアプリケーション起動部３０１が、リモコンアプリケーション３１０ａを起動させる。
Ｓ４０９では、通信部３０２が、リモコンアプリケーション起動が完了したことを利用者認証判定部７０３へ送信する。
Ｓ４１０では、表示操作部３０３が、十字キーや数字キー表示を行う。
【００７４】
図８は、携帯無線通信端末３００の画面上で多チャネル放送の番組が選択されたときの動作を示すフローチャートである。
Ｓ５０１では、表示操作部３０３が、利用者による十字キーの利用、又は、タッチパネル機能による直接の選択により、多チャンネル放送のコンテンツ選択を受け付ける。
Ｓ５０２では、操作履歴収集部３０７ａが、コンテンツ選択の履歴を収集し、その情報をレコメンドサーバ６００へ送信する。
Ｓ５０３では、レコメンドサーバ６００がコンテンツ選択の履歴に関する情報を受信し、ユーザプロファイル収集部６０７が、多チャンネル放送のコンテンツ名を収集する。
Ｓ５０４では、リモコン信号送信部３０４が、多チャンネル放送のコンテンツ番号をＳＴＢ２００へ送信する。
Ｓ５０５では、リモコン信号受信部２０４が、多チャンネル放送のコンテンツ番号を受信する。
Ｓ５０６では、ディスプレイ部１０２が、多チャンネル放送の選択されたコンテンツを表示する。
【００７５】
図９は、携帯無線通信端末３００の画面上に利用者に対してレコメンドされたコンテンツ情報（パーソナライズドコンテンツ）を表示する動作を示すフローチャートである。
Ｓ６０１では、表示操作部３０３が、利用者認証開始の表示を行う。
Ｓ６０２では、リモコンアプリケーション起動部３０１が、端末識別情報をレコメンドサーバ６００及び認証課金サーバ７００へ送る。
Ｓ６０３では、利用者認証判定部７０３が、端末識別情報による認証がＯＫであることを確認する。
Ｓ６０４では、レコメンドエンジン部６０６が、利用者に対応するレコメンド情報の有無を確認すると共に、レコメンド情報の有無を配信コンテンツ生成部６０５へ伝える。ここでは、レコメンド情報があるものとして説明を行う。
Ｓ６０５では、配信コンテンツ生成部６０５が、パーソナライズドコンテンツ、すなわち、レコメンドされたコンテンツ情報と関連のある広告／関連情報とを生成する。具体的には、利用者の嗜好に合う可能性の高いコンテンツを、利用者にお勧めのコンテンツとして複数抽出する。そして、抽出されたコンテンツの概要や放送時間等をまとめて１つのデータ（パーソナライズドコンテンツ）として生成する。
Ｓ６０６では、フォーマット変換部５０１が、コンテンツ情報（パーソナライズドコンテンツ）のフォーマット変換を行う。
Ｓ６０７では、コンテンツ配信部５０２が、コンテンツ情報を配信する。
Ｓ６０８では、映像／制御信号送受信部５０３が、コンテンツ情報を送信する。
Ｓ６０９では、通信部３０２が、コンテンツ情報を受信する。
Ｓ６１０では、表示操作部３０３が、コンテンツ情報（パーソナライズドコンテンツ）を表示する（図３参照）。
【００７６】
図１０は、携帯無線通信端末３００の画面上でのプロモーションビデオ又は関連情報等の番組閲覧の動作を示すフローチャートである。
Ｓ７０１では、表示操作部３０３が、コンテンツプロモーションビデオの選択操作を受け付ける。
Ｓ７０２では、操作履歴収集部３０７ａが、コンテンツプロモーションビデオの選択履歴を収集し、その情報をレコメンドサーバ６００へ送信する。
Ｓ７０３では、視聴履歴収集部３０７ｂが、コンテンツプロモーションビデオの視聴履歴を収集する。
Ｓ７０４では、ユーザプロファイル収集部６０７が、利用者によって視聴されたコンテンツプロモーションビデオ名を収集する。
Ｓ７０５では、表示操作部３０３が、コンテンツプロモーションビデオを再生する。
【００７７】
図１１は、携帯無線通信端末３００の画面上でのコンテンツの選択と購入、及び、テレビ受像機１００の画面上でのコンテンツ表示の動作を示すフローチャートである。
Ｓ８０１では、表示操作部３０３が、コンテンツの選択操作を受け付ける。
Ｓ８０２では、操作履歴収集部３０７ａが、コンテンツ選択の操作履歴を収集し、その情報をレコメンドサーバ６００へ送信する。
Ｓ８０３では、視聴履歴収集部３０７ｂが、コンテンツの視聴履歴を収集し、その情報をレコメンドサーバ６００へ送信する。
Ｓ８０４では、課金部７０４が、コンテンツ視聴に対する課金処理を行い、課金が適正に実施できたかを確認する。ここでは、課金ＯＫであったとする。
Ｓ８０５では、ユーザプロファイル収集部６０７が、利用者により視聴されたコンテンツ名を収集する。
Ｓ８０６では、レコメンドエンジン部６０６が、利用者に対応するレコメンド情報の有無を確認すると共に、レコメンド情報の有無を配信コンテンツ生成部６０５へ伝える。ここでは、レコメンド情報があるとして説明を行う。
Ｓ８０７では、配信コンテンツ生成部６０５が、選択されたコンテンツを配信用に生成する。
Ｓ８０８では、フォーマット変換部５０１が、コンテンツのフォーマットを変換する。
Ｓ８０９では、コンテンツ配信部５０２が、コンテンツを配信する。
Ｓ８１０では、映像／制御信号送受信部５０３が、映像信号と制御信号とを送信する。
Ｓ８１１では、映像／制御信号送受信部２０１が、映像信号と制御信号とを受信する。
Ｓ８１２では、ＲＦ信号送受信部２０３が、ＲＦ信号を送信する。
Ｓ８１３では、ＲＦ信号送受信部１０１が、ＲＦ信号を受信する。
Ｓ８１４では、ディスプレイ部１０２が、利用者により選択されたコンテンツを表示する。
【００７８】
図１２は、携帯無線通信端末３００の画面上での番組評価と投票の動作を示すフローチャートである。
Ｓ９０１では、表示操作部３０３が、コンテンツの評価操作を受け付ける。
Ｓ９０２では、操作履歴収集部３０７ａが、コンテンツ評価の操作履歴を収集し、その情報をレコメンドサーバ６００へ送信する。
Ｓ９０３では、コンテンツ評価投票部３０５が、コンテンツ評価の結果をレコメンドサーバ６００へ投票する。
Ｓ９０４では、コンテンツ評価投票履歴収集部３０７ｃが、コンテンツ評価履歴を収集し、その情報をレコメンドサーバ６００へ送信する。
Ｓ９０５では、ユーザプロファイル収集部６０７が、利用者によるコンテンツ評価を収集する。
【００７９】
図１３は、携帯無線通信端末３００の画面上でのユーザプロファイル更新の動作を示すフローチャートである。
Ｓ１００１では、表示操作部３０３が、ユーザプロファイル手動更新の操作を受け付ける。
Ｓ１００２では、操作履歴収集部３０７ａが、ユーザプロファイル手動更新の操作履歴を収集する。
Ｓ１００３では、ユーザプロファイル収集部６０７が、ユーザプロファイルを収集して更新する。
【００８０】
図１４は、携帯無線通信端末３００の画面上でのソーシャルネットワークによるコメント発信の動作を示すフローチャートである。
Ｓ１１０１では、表示操作部３０３が、ソーシャルネットワークによるコメント発信の操作を受け付ける。
Ｓ１１０２では、操作履歴収集部３０７ａが、ソーシャルネットワークによるコメント発信の操作履歴を収集し、その情報をレコメンドサーバ６００へ送信する。
Ｓ１１０３では、コメント発信部３０６が、ソーシャルネットワークによるコメント発信を行う。
Ｓ１１０４では、コメント発信履歴収集部３０７ｄが、コメント発信の履歴を収集し、その情報をレコメンドサーバ６００へ送信する。
Ｓ１１０５では、ユーザプロファイル収集部６０７が、ソーシャルネットワークによるコメントを収集する。
Ｓ１１０６では、ソーシャルネットワーク外部Ｉ／Ｆ８０１が、コメントを受信する。
【００８１】
図１５は、携帯無線通信端末３００の画面上での多チャネル放送の番組録画予約の動作を示すフローチャートである。
Ｓ１２０１では、表示操作部３０３が、携帯無線通信端末３００画面上での多チャンネル放送のコンテンツ録画予約の操作を受け付ける。
Ｓ１２０２では、操作履歴収集部３０７ａが、コンテンツ録画予約の操作履歴を収集し、その情報をレコメンドサーバ６００へ送信する。
Ｓ１２０３では、ユーザプロファイル収集部６０７が、録画予約されたコンテンツを収集する。
Ｓ１２０４では、映像／制御信号送受信部５０３が、録画予約されたコンテンツ番号を送信する。
Ｓ１２０５では、映像／制御信号送受信部２０１が、録画予約のコンテンツ番号を受信する。
Ｓ１２０６では、コンテンツ録画部２０２が、コンテンツの録画予約を行う。
【００８２】
本実施形態の携帯無線通信端末３００は、上述したような利用者の宅内におけるリモコン装置としての利用の他、外出先でもリモコン装置として利用することもできる。例えば、無線ＬＡＮホットスポット経由でネットワークに接続できる場合、利用者は、リモコンアプリケーション３１０ａを手動で起動（起動条件４）することができる。
【００８３】
図１６は、リモコンアプリケーション３１０ａを手動で起動してコンテンツ情報を取得するときの動作を示すフローチャートである。
Ｓ１３０１では、リモコンアプリケーション起動部３０１が、リモコンアプリケーション３１０ａの手動起動を利用者による入力操作によって指示を受ける。
Ｓ１３０２では、利用者認証判定部７０３が、端末識別情報による認証がＯＫであることを確認する。
Ｓ１３０３では、レコメンドエンジン部６０６が、利用者に対応するレコメンド情報の有無を確認すると共に、レコメンド情報の有無を配信コンテンツ生成部６０５へ伝える。ここでは、レコメンド情報があるものとして説明を行う。
Ｓ１３０４では、配信コンテンツ生成部６０５が、パーソナライズドコンテンツ、すなわち、レコメンドされたコンテンツ情報を生成する。具体的には、利用者の嗜好に合う可能性の高いコンテンツを、利用者にお勧めのコンテンツとして複数抽出する。そして、抽出されたコンテンツの概要や放送時間等をまとめて１つのデータ（パーソナライズドコンテンツ）として生成する。
Ｓ１３０５では、フォーマット変換部５０１が、コンテンツ情報（パーソナライズドコンテンツ）のフォーマット変換を行う。
Ｓ１３０６では、コンテンツ配信部５０２が、コンテンツ情報を配信する。
Ｓ１３０７では、映像／制御信号送受信部５０３が、コンテンツ情報を送信する。
Ｓ１３０８では、通信部３０２が、コンテンツ情報を受信する。
Ｓ１３０９では、表示操作部３０３が、コンテンツ情報（パーソナライズドコンテンツ）を表示する（図３参照）。
【００８４】
以上説明したように、本実施形態によれば、携帯無線通信端末３００は、端末識別情報を送信することにより認証を受け、かつ、利用者の利用状況をレコメンドサーバ６００へ送る。そして、レコメンドサーバ６００から利用者にレコメンドされたコンテンツ情報を取得して表示する。したがって、特別な個人認証等を行うことなく、利用者が所有している携帯無線通信端末３００を利用するだけで、利用者の嗜好に適合する可能性の高いコンテンツを利用者に対して提示することができる。
また、リモコンアプリケーション３１０ａは、リモコンアプリケーション起動部３０１により自動的に起動する。よって、利用の仕方が簡便であって、利用者が所望のコンテンツを容易に選択できる。
さらに、利用状況収集部３０７は、操作履歴と、視聴履歴と、評価投票履歴と、コメント発信履歴とのいずれかの履歴を収集し、レコメンドサーバ６００に送るので、利用者の嗜好を反映したレコメンデーションを行える。
【００８５】
なお、携帯無線通信端末の処理をコンピュータ読み取り可能な記録媒体に記録し、この記録媒体に記録されたプログラムを携帯無線通信端末に読み込ませ、実行することによって本発明の携帯無線通信端末、コンテンツ視聴システム、携帯無線通信端末の制御方法を実現することができる。ここでいうコンピュータシステムとは、ＯＳや周辺装置等のハードウェアを含む。
【００８６】
また、「コンピュータシステム」は、ＷＷＷ（Ｗｏｒｌｄ  Ｗｉｄｅ  Ｗｅｂ）システムを利用している場合であれば、ホームページ提供環境（あるいは表示環境）も含むものとする。また、上記プログラムは、このプログラムを記憶装置等に格納したコンピュータシステムから、伝送媒体を介して、あるいは、伝送媒体中の伝送波により他のコンピュータシステムに伝送されてもよい。ここで、プログラムを伝送する「伝送媒体」は、インターネット等のネットワーク（通信網）や電話回線等の通信回線（通信線）のように情報を伝送する機能を有する媒体のことをいう。
【００８７】
また、上記プログラムは、前述した機能の一部を実現するためのものであってもよい。さらに、前述した機能をコンピュータシステムにすでに記録されているプログラムとの組み合せで実現できるもの、いわゆる差分ファイル（差分プログラム）であってもよい。
【００８８】
以上、この発明の実施形態につき、図面を参照して詳述してきたが、具体的な構成はこの実施形態に限られるものではなく、この発明の要旨を逸脱しない範囲の設計等も含まれる。
【００８９】
（変形形態）
（１）本実施形態において、携帯無線通信端末３００は、ＳＴＢ２００に対してリモコン信号を送信して、ＳＴＢ２００がコンテンツを受信する形態を示した。これに限らず、例えば、携帯無線通信端末がテレビ受像機に対してリモコン信号を送信して、テレビ受像機がコンテンツを受信する形態であってもよい。
【００９０】
（２）本実施形態において、表示操作部３０３は、タッチパネル機能を備えた表示装置である例を挙げて説明した。これに限らず、例えば、表示部と操作部を独立して備える携帯無線通信端末であってもよい。
図１７は、本実施形態の携帯無線通信端末を表示部と操作部を独立して備える形態とした変形形態を示す図である。
図１７に示した携帯無線通信端末１３００は、表示部１３０３ａと操作部１３０３ｂとを独立して有している。
【００９１】
（３）本実施形態において、携帯無線通信端末３００は、無線基地局４００を介して外部と通信を行う例を説明した。これに限らず、例えば、無線ＬＡＮルータ９００を介して外部と通信を行ってもよい。
【００９２】
（４）本実施形態において、コンテンツ情報は、利用者に関連が高そうな情報や、利用者が関心を持ちそうな情報を選択して勧めるための情報としてレコメンドされた情報である例を説明した。これに限らず、例えば、利用者に応じて生成するコンテンツ情報は、利用者の嗜好のみならず、例えば、利用者の年齢等の他の要素を考慮して利用者にとって使いやすく生成された情報としてもよい。例えば、利用者が高齢者であるときには、文字を大きくしたり、選択肢を少なくして操作を簡単に行えるように配慮したりしてもよい。また、利用者が小学生の子供である場合には、学年に応じて表示する漢字を選択したり、ふりがなを付したりしてもよい。
また、上述したデモグラフィック属性（性別／年齢／年代／血液型／職業）の他に、サイコグラフィック属性（ライフスタイル／パーソナリティ／価値観）等を考慮したものであってもよい。
さらに、利用者に応じて生成するコンテンツ情報としては、コンテンツ自体に関する情報に限らず、利用者に関連の高い広告や各種情報を含んでもよい。
さらにまた、利用者に応じて生成するコンテンツ情報には、有料コンテンツの決済の許可又は不許可を表す決裁権情報を付加したり、視聴年齢制限を設けたコンテンツ視聴の許可又は不許可を表す年齢制限解除情報を付加したりしてもよい。これより、子供に決裁権限を与えないようにしたり、一定の年齢に達していない子供による成人向けコンテンツの視聴を防止したりできる。
【００９３】
なお、第１実施形態及び変形形態は、適宜組み合わせて用いることもできるが、詳細な説明は省略する。
【符号の説明】
【００９４】
１００  テレビ受像機
１０１  ＲＦ信号送受信部
１０２  ディスプレイ部
２０１  制御信号送受信部
２０２  コンテンツ録画部
２０３  ＲＦ信号送受信部
２０４  リモコン信号受信部
３００  携帯無線通信端末
３０１  リモコンアプリケーション起動部
３０２  通信部
３０３  表示操作部
３０４  リモコン信号送信部
３０５  コンテンツ評価投票部
３０６  コメント発信部
３０７  利用状況収集部
３０７ａ  操作履歴収集部
３０７ｂ  視聴履歴収集部
３０７ｃ  コンテンツ評価投票履歴収集部
３０７ｄ  コメント発信履歴収集部
３０８  位置検出部
３０９  通信端末識別情報記憶部
３１０  アプリケーション格納部
３１０ａ  リモコンアプリケーション
４００  無線基地局
５００  コンテンツ配信サーバ
５０１  フォーマット変換部
５０２  コンテンツ配信部
５０３  制御信号送受信部
６００  レコメンドサーバ
６０１  コンテンツＤＢ
６０２  広告／関連情報ＤＢ
６０３  ユーザプロファイルＤＢ
６０４  ＥＰＧＤＢ
６０５  配信コンテンツ生成部
６０６  レコメンドエンジン部
６０７  ユーザプロファイル収集部
７００  認証課金サーバ
７０１  ユーザ認証ＤＢ
７０２  課金ＤＢ
７０３  利用者認証判定部
７０４  課金部
８００  外部サーバ
８０１  ソーシャルネットワーク外部Ｉ／Ｆ
９００  無線ＬＡＮルータ
１３００  携帯無線通信端末
１３０３ａ  表示部
１３０３ｂ  操作部
【図１】
0005503933.tif 000002
【図２】
0005503933.tif 000003
【図３】
0005503933.tif 000004
【図４】
0005503933.tif 000005
【図５】
0005503933.tif 000006
【図６】
0005503933.tif 000007
【図７】
0005503933.tif 000008
【図８】
0005503933.tif 000009
【図９】
0005503933.tif 000010
【図１０】
0005503933.tif 000011
【図１１】
0005503933.tif 000012
【図１２】
0005503933.tif 000013
【図１３】
0005503933.tif 000014
【図１４】
0005503933.tif 000015
【図１５】
0005503933.tif 000016
【図１６】
0005503933.tif 000017
【図１７】
0005503933.tif 000018